(57)【特許請求の範囲】
【請求項１】
独立して分離可能な要素からなるモジュール型化学反応システムであって、該要素は
（ａ）約1nl〜約10μｌの反応チャンバー容量を有する少なくとも一つのモジュール型反応装置；
（ｂ）分離チャンバー；
（ｃ）分析装置；および
（ｄ）要素（ａ）〜（ｃ）を横方向に独立して取り付けるための、かつそれらの間の流れを連絡させるための組立て板。
【請求項２】
反応チャンバーは、熱的、電気化学的、光化学的、および加圧型反応チャンバーよりなる群から選択される、請求の範囲第１項に記載のモジュール型化学反応システム。
【請求項３】
分離チャンバーは、抽出、クロマトグラフィー、電気泳動、膜、および蒸留分離チャンバーよりなる群から選択される、請求の範囲第１項に記載のモジュール型化学反応システム。
【請求項４】
分析装置は、電気化学的、分光学的、および蛍光分析装置よりなる群から選択される、請求の範囲第１項に記載のモジュール型化学反応システム。
【請求項５】
相互に交換可能なモジュールユニットをさらに含む、請求の範囲第１項に記載のモジュール型化学反応システム。
【請求項６】
以下を含んでなるモジュール型化学反応キット：
（ａ）複数の物理的および／または化学的プロセスユニットを横方向に取り付け、横方向位置に、分離可能な形で保持するための支持構造；
（ｂ）少なくとも１つは反応ユニットであり、別の１つは構造的に異なり、異なるプロセスを実施できる、複数の各々独立に分離可能な物理的および／または化学的プロセスユニットであって、上記支持構造上に横方向取り付けをするのに適したものである、上記複数の各々独立に分離可能な物理的および／または化学的プロセスユニット；
（ｃ）複数の分離可能な、かつ相互に交換可能な流路；
（ｄ）少なくとも１つの横方向に配置され、かつ分離可能な分離チャンバー；
（ｅ）プロセス変数を追跡および／または制御可能な少なくとも１つの分析装置；そして
（ｆ）（ｅ）からコントロールシステムにシグナルを送信できるコンピューターインターフェース。
【請求項７】
少なくとも３つの反応ユニットを有し、その２つが同じである、請求の範囲第６項に記載のキット。
【請求項８】
反応ユニットの流路と壁はSiO2で被覆されている、請求の範囲第６項に記載のキット。
【請求項９】
反応ユニットは約１μｍ〜約100μｍの内径を有する、請求の範囲第８項に記載のキット。
【請求項１０】
貫通した流路を有する反応チャンバーであって、該流路が約１μｍ〜約100μｍの内径と約1cmの長さを有し、該チャンバーが該流路とそれぞれ連通している入口および出口手段を有し、該入口および出口手段が該流路により規定されるよりも小さい断面流面積を有する、上記反応チャンバー。
【請求項１１】
請求の範囲第10項に記載の反応チャンバーであって、反応チャンバーは、壁が、ガラス、金属、または合成ポリマー性材料よりなる群から選択される材料から形成され、その内部が二酸化珪素で被覆されている、上記反応チャンバー。
【請求項１２】
以下の工程を含んでなる化合物の合成方法：
（ａ）反応物を混合し、分離可能に支持され横方向に配置されたモジュール型反応装置に反応物を供給する工程であって、該反応装置が内径100μｍ以下の貫通した流路を有する反応チャンバー、該流路と流れが連通している入口および出口手段を規定しており、該入口および出口手段が該流路により規定されるよりも小さい断面流面積を有している、上記工程；
（ｂ）モジュール型反応チャンバー中の反応物の反応時間または温度を制御する工程；
（ｃ）反応生成物を副生成物から分離する工程；そして
（ｄ）生成物を分析する工程。
【請求項１３】
反応温度は約30〜約150℃である、請求の範囲第12項に記載の方法。
【請求項１４】
以下を含んでなる、各々内径100μｍ未満の、少なくとも二つの、横方向に位置することのできる処理チャンバーを有するモジュール型反応装置システムの作成方法：
ａ）１）SiO2またはSi基板の上表面にフォトレジスト層を適用し；
２）その層の上にチャンバーデザインパターンを現像し；
３）露出したパターンを酸でエッチングして、内径100μｍ未満の第一の処理−反応チャンバーを形成し；
４）基板の上表面をカバーで覆って、該第一の処理−反応チャンバーの開いた上表面を閉じて、反応装置ユニットを形成し；
５）上記の適用、現像、エッチング工程を繰り返して、基板中に液体導管および固定チャネルを形成する、
ことにより第一の長方形の処理チャンバーを形成する工程；
ｂ）固定手段を用いて少なくとも二つの処理チャンバーの各々を、液体運搬チャネルを有する組立板の上に横方向に独立に載せ、処理チャンバーへ行き来する流れを与える工程。
【請求項１５】
以下を含んでなるモジュール型反応装置：
１）約1nl〜約10μｌの容量を規定することができるチャンバーであって、該チャンバーよりも小さい断面流面積の入口と出口を有する上記チャンバーを有するブロック基板；
２）反応チャンバーに反応物を流し、反応チャンバーから生成物を流すためのブロック基板内に形成される流路；
３）モジュール型反応装置を組立て板に連結させる固定手段。
【請求項１６】
チャンバー容量は約1nl〜1.01μｌである、請求の範囲第15項に記載のモジュール型反応装置。
【発明の詳細な説明】
発明の分野
本発明は、調節および制御された反応条件下で化合物を連続的に合成するための改良された方法および装置に関する。さらに詳しくは本発明は、直縦に並べてまたは個々に使用できる、相互に交換可能な微小反応装置を有するモジュール型多成分システムに関する。モジュール型多成分システムの流量および反応条件は、目的の化合物の合成のための反応工程の制御および／または最適環境を作り出すために、追跡することができる。
発明の背景
複雑な無機および有機化合物（例えば、薬剤、モノマー、有機金属化合物、半導体、ポリマー、ペプチド、オリゴヌクレオチド、ポリヌクレオチド、炭水化物、アミノ酸、および核酸）は、診断的、医学的および商業的重要性を有する物質のクラスに属する。これらの物質を製造するために、多くの方法が開発されている。しかし、これらの複雑な物質を実施、調製または合成するために必要なシステムは、非効率的で無駄が多くそしてしばしば入手できる量よりはるかに多くの試薬量を必要とする。特に微量を扱う場合にこのことが言える。従来の基質を用いると、これらのプロセス制御の問題を有するサイズの大きいシステムが必要となる。さらにプロセスの収率やコストを効率的にするためには、試薬または試薬の安定性を考慮し、正確に制御する必要がある。
これらの複雑な物質の製造は、異なる反応や別の反応工程を扱うことができなければならない。多くの合成装置は、１つの型の反応装置（例えば、電気化学的、触媒、固相支持体、酵素的、光化学的、または中空室反応装置）である。
例えば、ウルデア（Urdea）の米国特許第4,517,338号は、１つまたはそれ以上の伸長した管型反応ゾーンを使用するアミノ酸配列決定システムを教示している。各反応ゾーンの反応装置は構造が似ており、内径（I.D.）は0.1〜1.0cmである。各反応装置は、固相材料を支持するためにガラスフリット（frit）を必要とする。
モチダ（Mochida）の米国特許第4,960,566号は、試薬を添加し、反応させ、そして分析するプロセスラインに沿って、試薬で被覆した毛細管を送り込むための自動分析装置に関する。モチダ（Mochida）の特許は、カラム３で毛細管の内径がおそらく0.95mm以上であることを示す。モチダ（Mochida）のプロセスは、普通のデザインの反応管の連続プロセスを可能にする。平行管の独立した温度制御およびモジュール性は、記載されていない。
リーバック（Leaback）の米国特許第4,276,048号は、マイクロタイタートレイへの液体の容量移動のための毛細管サイズの反応容器を記載している。このシステムは基本的にバッチ式であり、特定の試薬を１つの反応カラムに流し、別の試薬を別の反応カラムに流して管内でアミノ酸配列決定をするような連続流または自動弁は含まない。
セパニアク（Sepaniak）らの米国特許第5,176,881号は、毛細管供給機構を用いる光ファイバーベースの再生可能なバイオセンサーを記載している。
フェアランダー（Verlander）らの米国特許第4,362,699号は、高圧ペプチド合成装置に関し、スイッチ弁を介して反応装置90につながる複数の貯蔵槽を使用する。フェアランダー（Verlander）システムは、明らかに10以下のアミノ酸を有するペプチドしが合成できないメリフィールド（Merrifield）システムの限界を克服するために設計された。このシステムはまた、保護されたアミノ酸溶液と適当な活性化試薬を混合するために、反応装置の上流に混合装置を有する。カラム６のライン３〜12。このシステムは自動化されており、反応カラムは、保護されたアミノ酸で誘導体化されたポリスチレン樹脂を含有する。
カルサーズ（Caruthers）らの米国特許第4,458,066号は、アミノ酸合成装置を記載し、マニフォールドを介して管型反応装置に連結している複数の試薬貯蔵槽を使用する。反応装置カラム10は、配列決定操作のために誘導体化した固体シリカゲルマトリックスを含有し、弁を介してUV検出装置5aにつなげることができる。この反応装置は、1ml用のサイズであると記載されている。
ハミル（Hamill）の米国特許第4,728,502号は、それぞれ複数のチャンバーを有し複数の平行カラムとなっている積層ディスクを用いる、アミノ酸配列配列決定装置に関する。各ディスクの各チャンバーの内容物は分離可能であるが、積層ディスクの一連のチャンバーにより形成される各カラムは分離できない。
マーチン（Martin）の米国特許第4,961,915号は、DNA配列決定システムに関する。回転可能な回転テーブルが、上端が開いている狭いチャネルに沿って液体を運ぶ。これは、チャネルの長さに沿って追加の試薬を個々に添加することを可能にする。マーチン（Martin）の特許は、１つまたはそれ以上のチャネルに試薬を制御するための、連続流弁開閉反応システムまたは直接ライン内弁開閉を提供しない。さらに、溝またはチャネルは共通の基板の上にあり、その交換やスケールアップは不可能である。
本発明の目的は、モジュール型デザインであり連続流操作を可能にする一体型化学合成装置（ICS）システムを提供することである。このICSシステムのモジュール性は、それぞれマイクロリットル容量を有する、１つまたはそれ以上の同じ型の反応装置、または種々の異なる型の反応装置の使用を可能にする。ICSシステムの反応装置は、単独で、一緒に、および互いに交換して使用することができ、熱的、電気化学的、触媒、酵素的、光化学的、または中空室型でもよい。このシステムのモジュール性、すなわち構成成分（例えば、反応装置、流路、センサー、検出装置、温度制御ユニット）は、構成成分の容易な交換および／または相互交換を可能にし、既存のシステムにはない多様性を有する。
このICSシステムは、高圧下で連続流反応装置の均一な温度制御を可能にする。これは、反応ゾーン内の対流時間の正確な制御を可能にする。従ってICS合成装置は、より大きなサイズの従来のシステムに比較して多くの利点を示す。表面積（Ａ）と容量（Ｖ）の比率に依存する熱移動は、より小さい反応装置についてははるかに優れているであろう。これは例えば、大きなスケールのゲル電気泳動に比較して毛細管ゾーンで大きな利点である。この形式はまた、より速い熱消散と熱制御を可能にする。
ICSシステムは反応条件の良好な制御のみでなく、さらなる反応を防止するためのある段階の反応の停止を可能にする。ICSシステムはまた、そのモジュール性のために、中間体の制御された連続的反応を可能とする反応装置の連続的な配置を提供する。しかし、ICSアプローチに基づいてスケールアップした方が、生産量を上げるのに同じ型のモジュールを追加するだけでよいため、はるかに簡単であろう。工業的合成には、ICSは、実験室スケールの反応装置からフルサイズの反応装置へ、種々の異なるパイロットプラントを介することを不要にする。
さらに、複数の平行ICS反応装置の本質的重複性は、特にこのシステムが交換が容易で単一のICSラインの修復が容易なように構成されている場合、いくつかの反応装置が故障することに伴う操作上の問題が少ないことを意味する。その結果、このようなシステムは本質的により安全である。たとえ高温かつ高圧で１つのICS反応装置が破壊されても、総容量および放出される反応物の量は少ないであろうから、被害は無視できるであろう。極端な条件下（例えば、超臨界水および他の液体中で高温かつ高圧）で反応を実施する時、これは特に有利であろう。全体としてICSシステムは、反応変数が制御しやすいため、生成物の収率が高く廃棄物が少なく廃棄問題が小さいであろう。
ICSモジュールシステムの結果、効率の低さ、多様性の欠如、中断時間、試薬／反応物の廃棄物および高いコストの問題が克服される。
発明の概要
従って、本発明は化合物合成のための新規なシステムを与える。本発明のシステムはまた、種々のプロセス条件下（例えば、高圧下の連続流反応装置における均一な温度、均一でない温度および高圧）における化合物の合成を可能にする。
本発明の１つの面において、モジュール型多成分システムが提供される。このシステム（例えば、キット）は、内径約１μｍ〜約1mm、より好ましくは１〜100μｍの反応チャンバーを有する反応ユニットを用いて種々の反応を扱うことができる反応システムを提供する。具体的には、SiO2またはSi基板の上表面にフォトレジスト槽を適用し、その上に反応装置のデザインを作成して、モジュール型の「チップ」型反応装置ユニットを作成する。反応装置デザインを現像し、酸でエッチングして、内径100μｍ未満の反応チャンバーを形成する。チャンバーをカバーし、固定手段を用いて、ユニットを液体運搬チャネルを有する組立板の上に載せ、反応装置チャンバーへ行き来する流れを与える。
本発明の別の面において、約1nl〜約10μｌ（より好ましくは、1nl〜10μｌ）の反応容量を扱うことができる、同様のまたは異なる、並列または直列の、相互に交換できる複数の反応容器を含有するモジュール型多成分システムが提供される。
本発明のさらに別の面において、有機および無機化合物の両方を合成することができる。
本発明のさらに別の面において、極端な条件（例えば、超臨界温度および圧力）を制御できる新規なシステムが提供される。化合物を合成するためのこのシステムは、爆発の危険を避け、熱消散の信頼できる方法を提供する。
【図面の簡単な説明】
図1a−1dは、ICSモジュールシステムのための作成したチップ型反応装置ユニットを示す。
図２は、本発明の組立板のチップ型反応装置ユニットと液体添加用流路の分解組立図を例示する。
図３は、ICSシステムの１例の分解組立図である。
図４は、本発明の液体制御とコンピューターインターフェースを有するICSシステムの１例を示す。
図５は、本発明を用いるｔ−BuClの調製を示すフローチャートである。
図６は、本発明のICSシステムを用いる、ジベンジルケトンの光化学的変換のフローチャートである。
図７は、本発明のベンゾキノンの電気化学的還元を示すフローチャートである。
図８は、ICSシステムを用いる６アミノペニシラン酸（６−APA）へのベンジルペニシリンの多相膜反応装置変換のフローチャートである。
図９は、本発明を用いるｎ−C7H16のトルエンへの変換のフローチャートである。
好ましい態様の詳細な説明
本発明は広くは、重量ベースのセンサーと組合せた、複数な交換可能なかつ相互に交換可能な円筒形または長方形反応装置を使用する、モジュールシステム全体に関する。一般的にICSシステムは、（１）液体流取り扱いおよび制御成分；（２）混合装置；（３）反応「チップ型」ユニット；（３）分離手段；（４）プロセス可変検出装置およびコントローラー；および（５）マスターコントロールセンターとの通信用のコンピューターインターフェースを含むことができる。
ICSシステムはまた、システムの種々の成分を分離可能な形で保持する支持構造を含む。支持構造は、あらかじめ配置した流路および接続ポートを有する「組立板タイプ」でもよい。システムの目的の成分は、これらのコネクターにピンを介して固定することができる。ICSシステムを構成する流れ制御成分には、ポンプ、流路、マニフォールド、制流子、弁などを含んでよい。これらの成分は、あらかじめ配置したまたは選択的に位置した流路またはコネクターで密封することを可能にする、必要な取り付け部品を有するであろう。流れシステムはまた、分離可能な混合装置（例えば、静電気または超音波装置、そのいくつかは「チップ様」デザインである）を含有してもよい。この反応ユニットは、「チップ様」であるか否かに拘わらず、熱的、電気化学的、光化学的、加圧型であり、形は長方形または円筒形でもよい。
分離用成分は、膜分離、同時または向流流れ抽出、クロマトグラフィー分離、電気泳動分離、または蒸留法を提供する。検出装置は、反応物、中間体、または最終生成物を追跡するために、電気化学的、分光学的、または蛍光ベースの検出装置を含有する。
ICSシステムは、複数の個々に分離可能な反応ユニットを含有する。複数のユニットで、反応ユニットの１つは、構造が異なり、異なる化学プロセスを行うことを可能にする。例えば、熱的および光化学的ユニットまたは電気化学的、熱的および加圧ユニットでもよい。ICSシステムはまた、分離可能な分離チャンバー、およびプロセス変数を追跡および／または制御することを可能にする分析装置を含有してもよい。さらに詳しくは典型的な実施態様は、流路、流れ混合装置、少なくとも１つの電気化学的反応チャンバー、電気泳動分離チャンバー、および電気化学的分析装置を使用する。
本発明の好適な実施態様において、前述の合成を行うための装置を、図１〜９に例示する。
本発明の基本的考え方は、成分（反応装置、分離チャンバー、分析装置など）が安価で容易に組み立てられる、モジュールシステムを製造することである。本発明は、集積回路チップや他の電気成分が回路板の上で組み立てられるのと同じ方法で、流路組立て板上で組み立てることができる。ICSシステムにおいて、種々の反応装置、分析装置（例えば、「チップユニット」）は、「組立て板」上で組み立てられる。このようなシステムを組み立てるアプローチは、（ａ）カスタムデザインチップと組立て板、または（ｂ）マイクロボアチューブ（シリカ、ステンレススチール）や種々のコネクター、インジェクター、ポンプ、などを用いる、電流毛細管高圧液体クロマトグラフィー（HPLC）−毛細管ゾーン電気泳動（CZE）アプローチである。ケース（ａ）では、チップは、シリカ（SiO2）（ガラス）、シリコン（Si）（集積回路チップとして）、ポリマー（プラスチック）、および／または金属（ステンレススチール、チタン）から作成される。
本発明のチップユニット100を作成する例は、図1a−1dに示される。図1a−1dに関して、SiO2またはSiの基板は、長方形のチャンバー４を含むように設計される。チャンバー４は、現在集積回路や回路板で使用されているようなフォトリトグラフ法により作成される。フォトレジスト層２は、SiO2またはSiブロック基板１の上表面６の上に沈積され、正しい像に露光し現像技術により目的のパターン３が層２に形成される。長方形の反応装置チャンバー４は、あらかじめ形成したパターンを、例えばSiO2についてはHFで目的の容量を有するチャンバーを形成するのに必要な程度に、基板にエッチングすることにより作成される。複雑な構造については複数回のフォトリトグラフ法が必要かも知れない。反応装置の流路は、基板の他の側からフォトリトグラフ法を用いて同様にして作成される。第２のフォトレジスト層７は、下表面６上に置かれ、露光されてポート開口部８と９が形成される。次にチャネル10と11が作成して、反応装置チャンバー４への流れの連絡を提供する。最後に、カバー12を取り付けて、上表面５を閉じ、反応装置４の上部を形成し、最終チップを作成する。フォトレジスト層２と７は、固定ピンのための貫通流路が形成されるように、複数のパターン13〜16と17〜20を含む。反応装置はまた一度に、プラスチック材料により、射出成型または鋳込み成型により作成される。金属や半導体基板のマイクロマシーン法（例えば、走査型トンネル顕微鏡または走査型トンネル電子顕微鏡）を用いて、本発明のモジュールユニットを作成することもできる。
表１は、種々のICS反応装置の容量パラメータを示す。
0003625477.tif 000002
本発明により製造された異なる種類のチップユニットは次に、目的の流れ接続部（図２）および電極への（示していない）電気的接続を有する、組立て板に連結される。図２は、チップチャネル10と11を組立て板20上の対応するチャネル50と51に接合するのに、Ｏ−リング40と41（テフロン、ビトン（Viton））を用い、組立て板20にチップを保持するのにピン30〜37（またはチップ）を使用する。
図３は、連携線を有する１つの板上のいくつかの異なるチップの組立てを示す。図３では、ユニット100、60、および70は、それぞれ反応装置、分離装置および分析装置である。分離装置60および分析装置70のハウジングは、前述の反応装置ユニット100で説明したものと同様の方法で作成されるが、指定のプロセス（例えば、分離、分析）を実施するための必需品、構造および成分を含む。
図３において、ピン30〜33は、ユニット100、60および70を、チャネル81〜84を含有する組立て板80に連結する。チャネル81と82はそれぞれ、反応装置ユニット100中のチャネル10および11に連結する。同様にチャネル82と83は、ユニット60の対応するチャネルと連結し、チャネル83と84は、ユニット70中のチャネルと連結する。
あるいは現在のHPLC−CZE法に従って、本開示に従うサイズの反応装置、検出装置などのための毛細管は、同様の方法で支持板の上で組み立てられる（示していない）。
毛細管のために、毛細管HPLCアプローチを用いるコネクター、ポンプなどは、バルコ（Valco）、スワゲロック（Swagelok）、およびウォーターズ（Waters）のような製造業者から得ることができる。本発明の反応装置と分離装置に有用な特殊な材料は、ナフロン（Naflon）（イオン交換）中空糸から作成でき、デュポン（DuPont）が製造している。
ガラス基板が「チップ」に使用されるなら、壁はすでにSiO2である。Si基板が使用される場合は、制御された温度条件下で空気中で酸化してSiO2を形成する。金属基板（例えば、Ti）については、保護および絶縁フィルム（TiO2）も、空気または陽極酸化により形成される。また管の壁を触媒粒子、分離のための有機フィルムなどで被覆することも可能である。
図４は、本発明の「チップ」型処理ユニットを模式的に示す、組立て板を含む。組立て板は、前述のユニット100に類似の方法で形成される反応装置Ｒを含有するが、熱移動システムも含有する。反応装置Ｒは、上流端でチップ型混合装置Mx、および下流端でチップ型検出装置D1（例えば、ユニット100）に連絡する。検出装置D1は、チップ型分離装置（例えば、ユニット60）に連絡し、これは次に第２のチップ型検出装置ユニットD2（例えば、ユニット70）に連絡する。
図４のシステムは、以下のように作動する：試薬ＡとＢは、圧力始動ポンプPAおよびPB、そして弁VAおよびVBを介して連続的にまたは同時に混合装置Mxに流れる。試薬の単離が必要な場合は、試薬Ａを混合装置Mxに供給し反応装置R1に排出した後、洗浄液ＷをポンプPwと弁Vwを介して混合装置Mxに送り込んで排出する。検出装置D1、D2、熱伝対TCおよび流量計PMからのシグナルは、インターフェース90を介してコンピューターに伝搬され、試薬ＡとＢの流量、温度または本発明により実施されるプロセスの任意の追加の試薬を制御する。
本発明を一般的に記載したが、以下の例は例示のために示すものであり、決して本発明を限定するものではない。
例１
ｔ−ブタノールの塩化ｔ−ブチルへの熱変換
（CH3）３−Ｃ−OH＋Cl-＋H+→（CH3）3CCl＋H2O
図５において、濃塩酸201とｔ−ブタノール202の溶液を、ポンプ203、206と弁204、207により計量して、ミキサー205にそして反応チャンバー208へ供給する。反応チャンバー208内の温度は、組立て板（例えば、80）上の加熱／冷却システム215により制御して、反応温度（熱電対により測定）を約30〜40℃に維持する。生成する２相を分離装置チャンバー209で分離し、必要であれば、チャンバー213中で50℃で蒸留することにより、生成物をライン214から回収してｔ−BuClのさらなる精製を達成することができる。HClとH2Oは、ライン210から回収し、廃棄物はライン212から排出する。
例２
ジベンジルケトンの光化学的変換
0003625477.tif 000003
図６において、ベンゼン中のジベンジルケトン301（0.01M）を302と303により計量して、少なくとも１つの透明壁を有する光化学チャンバー304中に供給し、そこで450ワットキセノンランプ305からフィルター306を通した光307で照射する。反応物309中に生成したCO310を排出し、必要であれば、クロマトグラフィー分離装置308によりビベンジル生成物を精製して、ライン309から回収する。
例３
ベンゾキノンの電気化学的還元
0003625477.tif 000004
図７において、ベンゾキノンの酸性水溶液（0.1M）401を計量（402、403）して、電気化学反応装置415の陰極チャンバー416に供給する。Pt陽極と検体を含有する例えば外側がナフロン（Naflon）の中空糸管であるこのチャンバーは、炭素又は亜鉛の陰極を有する。陽極408aと陰極408bは電源407に接続されている。電流密度と流速は、電気化学検出装置417によりヒドロキノンを分析して測定される電流効率が最大になるように制御される。ヒドロキノン410は、生じる生成物の流れから、エーテル供給源411から計量（412と413）されるエーテル414で抽出装置409中に抽出される。あるいは、チャンバー415中の流れを適切に制御して内側の陽極チャンバーに導くことができる。
例４
ベンジルペニシリンの６−アミノペニシラン酸（６−APA）への多相膜反応装置変換
0003625477.tif 000005
図８において、BPを含有するペニシリン発酵槽からの流出液501を、フィルターバンク502と503により供給する。酸水溶液505を、濾過したBPとミキサー506中で混合して、膜反応器507に供給する。好適にはこの膜反応器507は、酵素ペニシリンアシラーゼが固定化されている中空糸管511である。この管はまた、６−APAを選択的に抽出する（ジェイ・エル・ロペス（J.L.Lopez）、エス・エル・マトソン（S.L.Matson）、ティー・ジェイ・スタンレー（T.J.Stanley）およびジェイ・エー・クィン（J.A.Quinn）、の「抽出的生物変換（Extractive Bioconversions）」、Bioprocess Technologies Series、第２巻、ビー・マストギアソン（B.Masttgiasson）とオー・ホルスト（O.Holst）編、Marcel Dekker、ニューヨーク、1987年を参照）。BPは中空糸の壁上で変換し、生成物は中空糸の内側の掃引流中に通り、そこでイオン交換508により精製することができる。このBP流510は反応装置により再循環される。
例５
ｎ−ヘプタンのトルエンへの触媒変換（リホーミング）
0003625477.tif 000006
図９において、液体ｎ−ヘプタン601を602、603により計量して、150℃に維持した蒸発チャンバー604に供給する。気相のトルエンを、400℃にしたPt−Al2O3触媒の充填床を含有する触媒反応装置605に送り込む。水素をライン606から取り出す。反応器605からヘプタン−トルエン混合物を分離装置608に供給し、トルエンをライン609から、ヘプタンをライン607から取り出す。
本発明は具体的な実施態様と共に記載したが、前述の記載に照らせば当業者には多くの変更と変法が明らかであろう。従って本発明には、添付される請求の範囲の精神と範囲内の全ての変更と変法を包含することが意図される。さらに、上に引用した米国特許の主題は参考のため本明細書に引用される。
【図１ａ】
0003625477.tif 000007
【図１ｂ】
0003625477.tif 000008
【図１ｃ】
0003625477.tif 000009
【図１ｄ】
0003625477.tif 000010
【図２】
0003625477.tif 000011
【図３】
0003625477.tif 000012
【図５】
0003625477.tif 000013
【図４】
0003625477.tif 000014
【図６】
0003625477.tif 000015
【図７】
0003625477.tif 000016
【図８】
0003625477.tif 000017
【図９】
0003625477.tif 000018